(57)【要約】【課題】  用紙情報を給紙部に対応づけて設定した後、当該給紙部への用紙の収納が完了した給紙部がいずれの給紙部であるかをユーザが確認しやすくすることを目的とする。【解決手段】  引き出し可能であって、用紙を収納する給紙手段と、用紙に画像を形成する画像形成手段と、を有する印刷装置と、前記印刷装置と通信することのできる情報処理装置で構成され、用紙の用紙情報を前記給紙手段に対応づけて設定するユーザ指示を受付ける受付手段を有する画像形成システムにおいて、前記給紙手段に関する情報を表示する表示手段と、引き出されている前記給紙手段が閉じられたことを検知する検知手段と、を有し、前記表示手段は、前記ユーザ指示がなされた前記給紙手段の情報を第１の表示形態で表示し、前記検知手段による検知に基づいて前記給紙手段の情報の表示形態を前記第１の表示形態から第２の表示形態に切り替えて表示することを特徴とする。【選択図】  図９
2019133452.tif 000002
【特許請求の範囲】
【請求項１】
引き出し可能であって、用紙を収納する給紙手段と、
前記給紙手段から給紙される用紙に画像を形成する画像形成手段と、を有する印刷装置と、
前記印刷装置と通信することのできる情報処理装置で構成され、
用紙の用紙情報を前記給紙手段に対応づけて設定するユーザ指示を受付ける受付手段を有し、
前記画像形成手段が、前記給紙手段に対応づけて設定された用紙情報に基づいて前記給紙手段から給紙される用紙に画像を形成する画像形成システムにおいて、
前記給紙手段の情報を表示する表示手段と、
引き出されている前記給紙手段が閉じられたことを検知する検知手段と、を有し、
前記表示手段は、前記ユーザ指示がなされた前記給紙手段の情報を第１の表示形態で表示し、前記検知手段による検知に基づいて前記給紙手段の情報の表示形態を前記第１の表示形態から第２の表示形態に切り替えて表示することを特徴とする画像形成システム。
【請求項２】
前記表示手段は、前記給紙手段の情報を前記第２の表示形態で表示し、
前記ユーザ指示に従って、前記給紙手段の情報の表示形態を前記第２の表示形態から前記第１の表示形態へと切り替えて表示することを特徴とする請求項１に記載の画像形成システム。
【請求項３】
用紙の用紙情報を前記給紙手段に対応づけて設定するユーザ指示とは、前記給紙手段に対応づけて設定されている用紙情報と異なる用紙情報を前記給紙手段に対応づけて設定するユーザ指示を含むことを特徴とする請求項１または２に記載の画像形成システム。
【請求項４】
用紙の用紙情報を前記給紙手段に対応づけて設定するユーザ指示とは、用紙情報と対応づけられていない前記給紙手段に用紙情報を対応づけて設定するユーザ指示を含むことを特徴とする請求項３に記載の画像形成システム。
【請求項５】
用紙の用紙情報を前記給紙手段に対応づけて設定するユーザ指示とは、前記給紙手段に対応づけられている用紙情報と同じ用紙情報を前記給紙手段に対応づけて設定するユーザ指示を含むことを特徴とする請求項４に記載の画像形成システム。
【請求項６】
閉じられている前記給紙手段が引き出されたことを検知する第２の検知手段をさらに有し、
前記表示手段は、前記第２の検知手段による検知に基づいて、前記第２の検知手段により引き出されたことが検知された前記給紙手段を引き出されていない他の給紙手段と区別して表示することを特徴とする請求項１乃至５のいずれか一項に記載の画像形成装置。
【請求項７】
前記表示手段は、前記ユーザ指示に従って、前記給紙手段の情報が表示される第１の領域とは異なる第２の領域に当該用紙情報を表示することを特徴とする請求項１に記載の画像形成システム。
【請求項８】
前記受付手段は前記第２の領域の選択を受付けることができ、
前記表示手段は、前記受付手段により受け付けられた前記第２の領域の選択に従って、前記第２の領域に表示される用紙情報と対応づけられた前記給紙手段の情報の表示形態を前記第２の表示形態から前記第１の表示形態へ切り替えて表示することを特徴とする請求項７に記載の画像形成システム。
【請求項９】
用紙情報とは、用紙の大きさ、坪量、表面性のうち少なくとも一つを含むことを特徴とする請求項１乃至８のいずれか一項に記載の画像形成システム。
【請求項１０】
前記情報処理装置は、前記印刷装置に備えられた給紙手段の構成を取得する取得手段をさらに有し、
前記表示手段は、前記取得手段により取得された前記印刷装置の構成を示す画面し、
前記画面は前記印刷装置に備えられたそれぞれの給紙手段について当該給紙手段の情報を表示することを特徴とする請求項１乃至９のいずれか一項に記載の画像形成システム。
【請求項１１】
前記ユーザ指示がなされた前記給紙手段の表示形態を前記第２の表示形態から前記第１の表示形態に切り替えて表示するか否かをユーザが設定することができることを特徴とする請求項１乃至１０のいずれか一項に記載の画像形成システム。
【請求項１２】
前記第１の表示形態は、前記第２の表示形態と異なる色で前記給紙手段の情報を表示することを特徴とする請求項１乃至１１のいずれか一項に記載の画像形成システム。
【請求項１３】
前記第２の表示形態で表示された前記給紙手段の情報は、少なくとも前記ユーザ指示がなされるまで、前記第２の表示形態で表示されることを特徴とする請求項１乃至１２のいずれか一項に記載の画像形成システム。
【請求項１４】
引き出し可能であって、用紙を収納することのできる給紙手段と、
前記給紙手段から給紙される用紙に画像を形成する画像形成手段と、
用紙の用紙情報を前記給紙手段に対応づけて設定するユーザ指示を受付ける受付手段と、を有し、前記画像形成手段が前記給紙手段に対応づけて設定された用紙情報に基づいて前記給紙手段から給紙される用紙に画像を形成する印刷装置であって、
前記給紙手段の情報を表示する表示手段と、
前記給紙手段が引き出された状態から閉じられたことを検知する検知手段と、を有し、
前記表示手段は、前記ユーザ指示がなされた前記給紙手段の情報を第１の表示形態で表示し、前記検知手段による検知に基づいて前記給紙手段の情報の表示形態を前記第１の表示形態から第２の表示形態に切り替えて表示することを特徴とする印刷装置。
【請求項１５】
前記表示手段は、前記給紙手段の情報を前記第２の表示形態で表示し、前記ユーザ指示に従って、前記給紙手段の情報の表示形態を前記第２の表示形態から前記第１の表示形態に切り替えて表示することを特徴とする請求項１４に記載の印刷装置。
【請求項１６】
引き出し可能であって、用紙を収納する給紙手段と、引き出された前記給紙手段が閉じられたことを検知する検知手段とを有する印刷装置と通信可能な情報処理装置において、
前記印刷装置から前記給紙手段の情報を取得する取得手段と、
前記取得手段により取得された前記給紙手段の情報を表示する表示手段と、
用紙情報を前記給紙手段と対応づけるユーザ指示を受付ける受付手段と、
前記検知手段による検知に従って前記印刷装置から送信される信号を受信する受信手段と、を有し、
前記表示手段は、前記ユーザ指示で選択された前記給紙手段の情報を第１の表示形態で表示し、前記受信手段により受信された前記信号に基づいて前記給紙手段の情報の表示形態を前記第１の表示形態から第２の表示形態に切り替えて表示することを特徴とする情報処理装置。
【請求項１７】
用紙を引き出し可能に収納する給紙手段を有し、
給紙手段と当該給紙手段に収納される用紙の用紙情報の対応を記憶する記憶手段と、
給紙手段から給紙される用紙に画像を形成する画像形成手段と、を有し、前記画像形成手段が、画像形成に用いられる用紙の収納された前記給紙手段に対応づけて前記記憶手段に記憶された用紙情報に基づいて画像を形成する印刷装置の制御方法であって、
用紙の用紙情報を前記給紙手段に対応づけるユーザ指示を受付ける受付工程と、
前記受付工程において受け付けられた前記ユーザ指示がなされた前記給紙手段の情報を第１の表示形態で表示する第１の表示工程と、
引き出された前記給紙手段が閉じられたことを検知する検知工程と、
前記検知工程における検知に従って、前記給紙手段の情報の表示形態を前記第１の表示形態から第２の表示形態に切り替えて表示する第２の表示工程と、を有することを特徴とする印刷装置の制御方法。
【請求項１８】
請求項１７に記載の印刷装置の制御方法をコンピュータが実行するためのプログラム。
【発明の詳細な説明】
【技術分野】
【０００１】
本発明は、画像形成システム、印刷装置およびその制御方法とプログラムに関する。
【背景技術】
【０００２】
用紙を収納する給紙部を複数備えた印刷装置がある。ユーザはこの印刷装置の操作パネルもしくは印刷装置に接続されている情報処理装置の操作部で、各給紙部に収納される用紙の用紙情報を設定する。用紙情報とは例えば用紙の名称、サイズ、坪量、表面性を示す情報である。印刷装置は設定された用紙情報に基づいて、印刷装置を動作させて給紙部から給紙される用紙に画像を形成する。
【０００３】
上記のような印刷装置においては、印刷に用いる用紙を変えるとき、ユーザが印刷に用いる用紙の用紙情報を給紙部と対応づけて設定する。特許文献１に記載の印刷装置は、ユーザが印刷装置の給紙部を引き出したことに従って、引き出された給紙部に収納する用紙の用紙情報を設定する画面を表示部に表示する。
【先行技術文献】
【特許文献】
【０００４】
【特許文献１】特開２０１６−１４４９０９号公報
【発明の概要】
【発明が解決しようとする課題】
【０００５】
ユーザが複数の給紙部に用紙を収納する場合に、給紙部に用紙を収納する前に、各給紙部に対して収納される用紙の用紙情報を設定し、その後、実際に用紙を給紙部に収納することがある。このとき、先に用紙情報を対応づけて設定した給紙部のうち、用紙の収納が完了していない給紙部がいずれの給紙部であるかをユーザが即座に知ることができない。そのため、ユーザは先に用紙情報を設定した給紙部のそれぞれに対して、設定した用紙情報の用紙が収納されているかを確認しなくてはならない。
【０００６】
本発明は、上述の課題を鑑みてなされたものであり、用紙情報を給紙部に対応づけて設定した後、当該給紙部への用紙の収納が完了した給紙部がいずれの給紙部であるかをユーザが確認しやすくすることを目的とする。
【課題を解決するための手段】
【０００７】
本発明に記載の画像形成システムは、引き出し可能であって、用紙を収納する給紙手段と、前記給紙手段から給紙される用紙に画像を形成する画像形成手段と、を有する印刷装置と、前記印刷装置と通信することのできる情報処理装置で構成され、用紙の用紙情報を前記給紙手段に対応づけて設定するユーザ指示を受付ける受付手段を有し、前記画像形成手段が、前記給紙手段に対応づけて設定された用紙情報に基づいて前記給紙手段から給紙される用紙に画像を形成する画像形成システムにおいて、前記給紙手段の情報を表示する表示手段と、引き出されている前記給紙手段が閉じられたことを検知する検知手段と、を有し、前記表示手段は、前記ユーザ指示がなされた前記給紙手段の情報を第１の表示形態で表示し、前記検知手段による検知に基づいて前記給紙手段の情報の表示形態を前記第１の表示形態から第２の表示形態に切り替えて表示することを特徴とする。
【発明の効果】
【０００８】
本発明によれば用紙情報を給紙部に対応づけて設定した後、当該給紙部への用紙の収納が完了した給紙部がいずれの給紙部であるかをユーザが確認しやすくすることができる。
【図面の簡単な説明】
【０００９】
【図１】本実施形態における、画像形成システムの構成図である。
【図２】本実施形態における、印刷装置のハードウェア構成を示すブロック図である。
【図３】本実施形態における、情報処理装置のハードウェア構成、および、ソフトウェア構成を示すブロック図である。
【図４】本実施形態における、用紙管理アプリケーションのトップ画面の一例を示す図である。
【図５】本実施形態において、用紙管理アプリケーションが起動する時の処理を示すフローチャートである。
【図６】本実施形態において、印刷装置が起動する時の処理を示すフローチャートである。
【図７】本実施形態における、画像形成システムのワークフローを示す図である。
【図８】本実施形態において、用紙管理アプリケーションの給紙部の用紙設定画面の一例を示す図である。
【図９】本実施形態において、給紙部に対して用紙情報の割り当てを行ったときに表示される画面の一例を示す図である。
【図１０】本実施形態において、情報処理装置が実行する処理を示すフローチャートである。
【発明を実施するための形態】
【００１０】
以下、本発明を実施するための形態について図面を用いて説明する。
【００１１】
図１は、画像形成システム１００の全体構成を示すブロック図である。
【００１２】
図１の画像形成システム１００は、印刷装置１０３と、情報処理装置１０２で構成されている。そして、この画像形成システム１００は、クライアントコンピュータ１０１と通信可能に接続されている。クライアントコンピュータ１０１と情報処理装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、情報処理装置１０２と印刷装置１０３とは、画像ビデオケーブル１０７及び制御ケーブル１０８を介して接続されている。本実施形態では、印刷装置１０３は、ＬＡＮ１１０に直接接続されていない。印刷装置１０３とクライアントコンピュータ１０１とは、情報処理装置１０２を介して通信する。なお、印刷装置１０３は、ＬＡＮ１１０に接続されても良い。つまり、印刷装置１０３は、直接、クライアントコンピュータ１０１と通信可能に接続されていても良い。
【００１３】
クライアントコンピュータ１０１は、アプリケーションを起動させて画像形成システム１００に印刷指示などを行う。
【００１４】
情報処理装置１０２は、印刷装置１０３と連携して画像処理を行う。さらに、印刷装置１０３は色々な機能を有する複合機であり、スキャナ１０４より原稿を読み込んで生成した画像データを用いて画像を印刷したり、生成した画像データを共有フォルダに送信したりすることが可能である。スキャナ１０４が原稿を読み取る際、印刷装置１０３は、操作部１０５の各種キーを介して、ユーザから各種指示を受け付ける。また、操作部１０５のディスプレイはスキャン状態などの各種情報をユーザに対して表示する。排紙部１０６は画像が形成された用紙を受け取って、当該受け取った用紙を印刷装置１０３の外に排紙する。１１１は情報処理装置１０２の表示部であり、情報処理装置１０２に関する情報を表示する。表示部１１１は情報処理装置１０２を操作する上で、最低限必要となる情報（電源操作やＩＰアドレスの確認）を表示する目的で使用される。１１２は情報処理装置１０２のハードウェアの操作ボタン部であり、ユーザはこの操作ボタン部を用いて情報処理装置１０２を操作する。１１３は情報処理装置１０２に接続される外部表示装置であり、液晶モニタ等の装置である。１１４はキーボード、１１５はマウス等のポインティングデバイスである。本実施の形態では、情報処理装置１０２と印刷装置１０３とを異なる装置とし、情報処理装置１０２と印刷装置１０３で構成される画像形成システム１００を用いて説明する。情報処理装置１０２の構成を印刷装置１０３の内部に包含し、印刷装置１０３が以下に記載の処理を実行するとしてもよい。また、表示装置１１３がタッチパッドのような位置入力装置機能を持ち、１１５のポインティングデバイスの機能を兼ねている構成でも良い。給紙部１１６−１〜１１６−８（以降、全てまとめて給紙部１１６と記載する）は印刷に使用する用紙を収納しておく装置である。このように、印刷装置１０３は用紙を引き出し可能に収納する給紙部を複数有する。印刷装置１０３は、給紙部１１６から給紙された用紙に画像が形成される。給紙部１１６は印刷装置１０３のオプション装置であり、給紙部１１６を構成するデッキの数は変更が可能である。
【００１５】
図２は印刷装置１０３のハードウェア構成を示すブロック図である。２００は印刷装置１０３のコントローラである。２０１はＣＰＵであり、ＲＯＭ２０３または外部記憶装置２１１に記憶された制御プログラムに基づいてシステムバス２０４に接続される各種のデバイスとのアクセスを総括的に制御する。また、ＣＰＵ２０１は、印刷インターフェース２０７を介して接続される印刷部（プリンタエンジン）２１０に出力情報としての画像信号を出力する。さらに、ＣＰＵ２０１は、読取インターフェース２１２を介して接続される読取部（スキャナ）２１３から入力される画像信号を制御する。ＣＰＵ２０１はＬＡＮコントローラ２０６を介して情報処理装置１０２との通信が可能となっている。２０２はＲＡＭで、主としてＣＰＵ２０１の主メモリ、ワークエリア等として機能する。ハードディスク（ＨＤＤ）、ＩＣカード等の外部記憶装置２１１は、ディスクコントローラ（ＤＫＣ）２０８によりアクセスが制御される。ハードディスクは、アプリケーションプログラム、フォントデータ、フォームデータ等を記憶したり、プリントジョブを一時的にスプールし、スプールされたジョブを外部から制御したりするためのジョブ格納領域として使用される。更に、ハードディスクはスキャナ１０４から読み取った画像データやプリントジョブの画像データをＢＯＸデータとして保持してネットワークから参照するための領域や、印刷を行うＢＯＸデータ格納領域としても使用される。本実施例において、印刷装置１０３は外部記憶装置としてＨＤＤを使用するものとし、ジョブログ、画像ログ等各種ログを保持する。２１５は操作パネルで、ユーザがソフトウェアキーまたはハードウェアキーから各種情報を入力することが可能である。操作パネルインターフェース２０５は、操作パネル２１５でユーザ操作を受け付けて、印刷装置１０３のコントローラ２００内でその座標情報を使用したり、伝達したりする。
【００１６】
２０９は不揮発性メモリであり、操作パネルインターフェース２０５やネットワークを介して端末から設定される各種設定情報を記憶している。ビデオインターフェース２１４は情報処理装置１０２から画像データを受信する。
【００１７】
給紙部インターフェース２１６は、給紙部１１６に備えられた不図示の開閉検知センサの検知結果を取得する。給紙部１１６から取得された情報は、給紙部１１６の用紙の積載状態の管理等に用いられる。
【００１８】
図３（Ａ）は情報処理装置１０２のハードウェア構成を示すブロック図である。図３の情報処理装置１０２のブロック図において、３００は情報処理装置１０２のコントローラである。３０１はＣＰＵで、ＲＯＭ３０３または記憶装置３０９に記憶された制御プログラムに基づいてシステムバス３０４に接続される各種のデバイスとのアクセスを総括的に制御する。また、ＣＰＵ３０１はＬＡＮコントローラ３０６を介して印刷装置１０３との通信処理が可能となる。さらに、ＣＰＵ３０１はＬＡＮコントローラ３０６を介してネットワーク上のクライアントコンピュータ１０１とも通信可能に接続される。３０２はＲＡＭで、主としてＣＰＵ３０１の主メモリ、ワークエリア等として機能する。ハードディスク（ＨＤＤ）、ＩＣカード等の記憶装置３０９は、ディスクコントローラ（ＤＫＣ）３０８によりアクセスが制御される。ハードディスクは、アプリケーションプログラム、フォントデータ、フォームデータ等を記憶したり、プリントジョブを一時的にスプールしたりする。また、ＨＤＤは、スプールされたジョブをＲＩＰ（Ｒａｓｔｅｒ  Ｉｍａｇｅ  Ｐｒｏｃｅｓｓｏｒ）処理し、再度保存するためのジョブ格納領域として使用される。３０５は操作部Ｉ／Ｆで、ポインティングデバイス１１５やキーボード１１４、操作ボタン部１１２を介した入力を受け付けたり、操作ボタン部１１２に表示される画面の情報を出力したりする。ビデオインターフェース３１０は印刷装置１０３へＲＩＰ処理した画像データを送信する。
【００１９】
図３（Ｂ）は、情報処理装置１０２のソフトウェア構成を示すブロック図である。各ソフトウェアモジュールは、情報処理装置１０２のＲＡＭ３０２によって展開され、各種プログラムにより呼び出されてＣＰＵ３０１により実行される。
【００２０】
３５１は、情報処理装置１０２のシステムソフトウェア全体である。ネットワーク制御ユニット３５５は、例えばＬＡＮコントローラ３０６を介した印刷装置１０３との通信を制御する。また、ネットワーク制御ユニット３５５は、ＬＡＮコントローラ３０６を介した外部のクライアントコンピュータとの通信を制御する。ジョブ管理ユニット３５６は、ＬＡＮコントローラ３０６を介してクライアントコンピュータから印刷ジョブを受信したり、印刷ジョブの状態を監視したりする。ＵＩ制御ユニット３５２は、ジョブ管理ユニット３５６から受信した印刷ジョブ状況や、給紙部管理ユニット３５４から受信したデバイス状態を表す画像を作成し、表示装置１１３に表示する。また、ＵＩ制御ユニット３５２は、表示装置１１３の有するパネルを制御し、ポインティングデバイス１１５などを介してユーザの入力した座標情報を取得する。
【００２１】
給紙部管理ユニット３５４は、ＬＡＮコントローラ３０６を介して印刷装置１０３の給紙部情報を取得して管理する。給紙部情報とは、印刷装置１０３に接続された給紙部の構成や、各給紙部に対応づけて設定されている用紙の用紙情報である。また、情報処理装置１０２の表示装置１１３にて操作された給紙部情報を印刷装置１０３に通知する。用紙管理ユニット３５３は、印刷装置１０３のＨＤＤ２１１に記憶されている用紙リストの情報と情報処理装置１０２のＨＤＤ３０９に記憶されている用紙リストの情報とを同期させて管理する。設定管理ユニット３５７は、表示言語の設定など用紙管理アプリケーション全体の設定を管理する。
【００２２】
図４は用紙管理アプリケーションのトップ画面である。用紙管理アプリケーションは、情報処理装置１０２上で動作する。ユーザが情報処理装置１０２の表示部に表示された用紙アプリケーションのアイコンを選択して、用紙管理アプリケーションを起動させる。
図４（Ａ）は印刷装置１０３の給紙部情報を表示した状態の画面であり、図４（Ｂ）は各用紙を用いて印刷装置１０３が画像を印刷するときに使用する調整用のパラメータを設定する画面である。印刷装置１０３が画像を印刷するときに使用する調整用のパラメータとは、例えば、用紙に対する画像の印刷位置の調整や、画像の転写時の電圧の調整等である。用紙管理アプリケーションのトップ画面は、ＣＰＵ３０１からの指示に従ってそのビデオメモリに描画されると共に、ビデオメモリに描画されたイメージデータをビデオ信号として表示装置１１３に出力され、表示される。
【００２３】
４０１は用紙管理アプリケーションのトップ画面である。４０２は、タブコントロールを実施可能な表示領域である。４０３のデバイスタブをユーザが選択することで、４０２の表示領域に印刷装置１０３の給紙部情報を表示した図４（Ａ）に示す画面が表示される。ユーザが４０４の調整タブを押下することで、４０２の表示領域に各種調整設定を実施可能なボタンを表示した図４（Ｂ）に示す状態の画面が表示される。４０５は、情報処理装置１０２に接続されている、印刷装置１０３のハードウェアオプションの接続状況を表す図である。印刷装置１０３に接続されるハードウェアとは、例えば、給紙装置やフィニッシャ等の装置である。情報処理装置１０２は、用紙管理アプリケーションは起動時に、印刷装置１０３のハードウェアオプション情報を取得し、このオプション情報に基づいた画像を表示する。
【００２４】
４０６〜４１３は給紙部ボタンである。情報処理装置１０２は、用紙管理アプリケーションが起動した時に取得した印刷装置１０３の給紙部１１６の情報に基づいて、給紙部ボタンを配置する。印刷装置１０３に複数の給紙部が接続されている場合、給紙部ボタンは複数表示される。４１４は用紙情報を表示する表示領域である。４１４に表示される用紙情報は、情報処理装置１０２の外部記憶装置３０９に記憶された用紙情報である。各用紙の用紙情報は用紙の種類ごとに表示される。表示されている用紙情報以外の用紙情報を表示したい場合、ユーザは４１５のスライダーバーを操作する。また、表示されている用紙以外の用紙の用紙情報を表示したい場合、ユーザは４１６のスライダーバーを操作する。
【００２５】
図４（Ｂ）は、４１４に表示された用紙情報からユーザにより選択された用紙情報を設定する画面である。図４（Ｂ）では、４１４に表示された用紙情報のうち、先頭の「普通紙」が選択されている。図４（Ｂ）に示す画面の４１７は各種調整項目の設定を実施可能な調整ボタンである。図４（Ｂ）において、タブコントロール可能な領域４０２には印刷装置１０３で実施可能な調整項目が表示されている。図４（Ｂ）に示す画面において、ユーザは、各用紙に対する調整項目の設定値を確認することができる。４１８はスライダーバーであり、このスライダーバーを操作することで、現在表示されていない調整の設定項目を確認することが可能となる。また、図４（Ｂ）に示す画面において、ユーザが各調整項目の設定値を選択すると、情報処理装置１０２は表示装置１１３に選択された調整項目の設定値を設定するための画面が表示される。
【００２６】
図５は用紙管理アプリケーションが起動した時に、情報処理装置１０２が図４（ａ）に示すトップ画面４０１を表示するために実行する処理を示すフローチャートである。図５に記載の処理は、用紙管理アプリケーションの起動が指示されたことに従って実行される。
【００２７】
図５のフローチャートに係る情報処理装置１０２のプログラムは、図３の外部記憶装置３０９に格納されており、ＲＡＭ３０２に読み出されＣＰＵ３０１によって実行される。給紙部管理ユニット３５４は用紙管理の対象となる印刷装置１０３のモデル情報を取得する（Ｓ５０１）。給紙部管理ユニット３５４は、情報処理装置１０２に接続された印刷装置１０３から、印刷装置１０３のモデル情報を取得する。モデル情報とは、後述の図６のＳ６０１において生成される情報である。印刷装置１０３のモデル情報は、現在の印刷装置１０３に接続されるハードウェアの状態を示す４０５を作成する際や、モデルごとの仕様差を吸収する際に使用される。給紙部管理ユニット３５４は、印刷装置１０３から取得されたモデル情報をそのまま使用してもよいし、取得したモデル情報と用紙管理アプリケーションが予め保持しているモデル判別情報に基づいて印刷装置１０３のモデルを判別するとしてもよい。
【００２８】
給紙部管理ユニット３５４は、印刷装置１０３と通信し、印刷装置１０３に接続されるハードウェアオプションの情報を取得する（Ｓ５０２）。Ｓ５０２において取得される情報は、後述する図６のＳ６０２で生成される情報であり、印刷装置１０３がＳ６０９で情報処理装置１０２に返信する情報である。取得されたハードウェアオプション情報は、４０５に示す印刷装置に接続されたハードウェアの状態を示す図を作成する時、給紙部の情報を特定する時、モデルごとの仕様差を吸収するときに使用される。
【００２９】
給紙部管理ユニット３５４は印刷装置１０３の給紙部情報を取得する（Ｓ５０３）。Ｓ５０３において取得される給紙部情報は、後述の図６のＳ６０３において生成される情報であり、印刷装置がＳ６１１において情報処理装置１０２に返信する情報である。給紙部情報は、オプションデッキ、手差しトレイ、長尺用紙トレイなどの給紙部構成を含むものとする。また、給紙部情報は、印刷装置１０３に接続されている給紙部の数を含む。
【００３０】
給紙部管理ユニット３５４は、印刷装置１０３と通信を行い、それぞれの給紙部に対して設定されている用紙情報を取得する（Ｓ５０４）。給紙部管理ユニット３５４は、後述の図６のＳ６１１にて返信された情報から、各給紙部に対応づけて設定されている用紙情報を取得する。
【００３１】
給紙部管理ユニット３５４は、４０５に表示する４０６〜４１３上に給紙部ボタンの情報を作成する（Ｓ５０５）。Ｓ５０５において、給紙部管理ユニット３５４は、Ｓ５０３、Ｓ５０４で取得された情報に基づいて、４０５に表示される給紙部ボタンの配置、各給紙ボタンに表示される文字列を決定する。
【００３２】
用紙情報管理ユニット３５３は印刷装置１０３から用紙リスト情報を取得する（Ｓ５０６）。Ｓ５０６において、用紙情報管理ユニット３５３は、後述する図６のＳ６１３で印刷装置１０３から返信される用紙リスト情報を取得する。用紙情報管理ユニット３５３は、Ｓ５０６で取得した用紙リスト情報に基づいて、４１４の用紙リストの情報を作成する（Ｓ５０７）。
【００３３】
用紙情報管理ユニット３５３は、印刷装置１０３から各調整の調整値を取得する（Ｓ５０８）。Ｓ５０８において、用紙情報管理ユニット３５３が取得する情報は、後述の図６のＳ６１５において印刷装置１０３から返信される情報である。Ｓ５０８において取得される情報は、調整ボタン４１７の表示に用いられる。Ｓ５０８において、用紙情報管理ユニット３５３は、全ての用紙情報について各調整項目の設定情報を取得してもよいし、用紙リストの先頭の用紙情報についてのみ、拡張性項目の設定情報を取得してもよい。
【００３４】
用紙情報管理ユニット３５３は、各ボタンに表示する文字列を作成する（Ｓ５０９）。調整値が一つしかない場合はその値を表示し、２つ以上ある場合は調整あり／調整なしを表示する。
【００３５】
ＵＩ制御ユニット３５２、印刷装置１０３のモデルハードウェアオプション情報、給紙部ボタン情報、用紙リスト情報、調整ボタン情報から、トップ画面４０１の画面を作成して、表示装置１１３に表示する（Ｓ５１０）。
【００３６】
なお、本フローは用紙管理アプリケーション起動時の動作として説明した。しかし、印刷装置の給紙部情報、用紙リスト情報、調整値は用紙管理アプリケーション使用中に随時変更される可能性がある。従って、ユーザが用紙管理アプリケーションを操作して、各給紙部に対応づけられた用紙の用紙情報を変更した場合や、印刷装置１０３に設定される給紙部の構成が変更されたタイミングなど任意のタイミングで上記の処理を行うとする。
【００３７】
図６は、印刷装置１０３が起動する際に、情報処理装置１０２の用紙管理アプリケーションと通信して同期する情報を作成するフローチャートである。
【００３８】
図６のフローチャートに係る印刷装置１０３のプログラムは、図２のＨＤＤ２１１に格納されており、ＲＡＭ２０２に読み出されＣＰＵ２０１によって実行される。印刷装置１０３が起動するとＳ６０１の処理が開始される。
【００３９】
ＣＰＵ２０１は、印刷装置１０３のモデル情報をＨＤＤ２１１より取得し、情報処理装置１０２に返信可能なデータを作成する（Ｓ６０１）。そして、ＣＰＵ２０１は、印刷装置１０３に接続されているハードウェアオプション情報をＨＤＤ２１１から取得し、情報処理装置１０２に返信可能なデータを作成する（Ｓ６０２）。ＣＰＵ２０１は印刷装置１０３の給紙部情報をＨＤＤ２１１より取得し、情報処理装置１０２に返信可能なデータを作成する（Ｓ６０３）。ＣＰＵ２０１は印刷装置１０３の用紙リスト情報をＨＤＤ２１１から取得し、情報処理装置１０２に返信可能なデータを作成する（Ｓ６０４）。ＣＰＵ２０１はＨＤＤ２１１に記憶された用紙リスト情報に含まれる各用紙の調整値情報をＨＤＤ２１１より取得し、情報処理装置１０２に返信可能なデータを作成する（Ｓ６０５）。この調整値情報の取得は印刷装置１０３で調整可能な項目すべてに対して実施する。調整値情報の取得は、全ての用紙種類に対して実行されてもよいし、用紙リストで先頭に表示される用紙種類に対してのみ実行されてもよい。
【００４０】
ＣＰＵ３０１は情報処理装置１０２からモデル情報の問合せを受信したかを判断する（Ｓ６０６）。情報処理装置１０２は図５のＳ５０１の処理を実行するときに、印刷装置１０３にモデル情報を問い合わせる。情報処理装置１０２からモデル情報の問合せを受信していた場合は、ＣＰＵ２０１はＳ６０１で作成したモデル情報を情報処理装置１０２に返信する（Ｓ６０７）。ＣＰＵ２０１はＳ６０７に記載の処理を完了後、Ｓ６０８に処理を進める。Ｓ６０６にて情報処理装置１０２からモデル情報の問合せを受信していない場合、Ｓ６０８に処理を進める。
【００４１】
ＣＰＵ２０１は情報処理装置１０２よりハードウェアオプション情報の問合せを受信したか判断する（Ｓ６０８）。ＣＰＵ２０１が情報処理装置１０２からハードウェアオプション情報の問合せを受信していた場合、ＣＰＵ２０１はＳ６０２で作成したハードウェアオプション情報を情報処理装置１０２に返信する（Ｓ６０９）。ＣＰＵ２０１はＳ６０９に記載の処理を完了後、処理をＳ６１０に進める。Ｓ６０８にてＣＰＵ２０１がハードウェアオプション情報の問合せを受信していない場合、ＣＰＵ２０１はＳ６１０に処理を進める。
【００４２】
ＣＰＵ２０１は情報処理装置１０２より給紙部情報の問合せを受信したか判断する（Ｓ６１０）。情報処理装置１０２が図５のＳ５０３、Ｓ５０４の処理を実行した場合に給紙部情報の問合せを受信する。給紙部情報の問合せを受信していた場合、ＣＰＵ２０１は情報処理装置１０２にＳ６０３で作成した給紙部情報を返信する（Ｓ６１１）。Ｓ６１１に記載の処理を完了後、ＣＰＵ２０１がＳ６１２に処理を進める。Ｓ６１０にてＣＰＵ２０１が給紙部情報の問合せを受信していない場合、ＣＰＵ２０１はＳ６１２に記載の処理を実行する。
【００４３】
ＣＰＵ２０１は情報処理装置１０２から用紙リスト情報の問合せを受信したか判断する（Ｓ６１２）。情報処理装置１０２が図５のＳ５０６、Ｓ５０７による用紙リスト情報の問合せを送信していた場合、ＣＰＵ２０１は用紙リスト情報の問合せを受信する。ＣＰＵ２０１が用紙リスト情報の問合せを受信していた場合、ＣＰＵ２０１は、Ｓ６０４で作成した用紙リスト情報を用紙管理アプリケーションに返信する（Ｓ６１３）。Ｓ６１３に記載の処理を完了したのち、ＣＰＵ２０１はＳ６１２に処理を進める。Ｓ６１２にて用紙リスト情報の問合せを受信していない場合も、ＣＰＵ２０１は処理をＳ６１４に進める。
【００４４】
ＣＰＵ２０１は情報処理装置１０２より調整値情報の問合せを受信したか判断する（Ｓ６１４）。情報処理装置が図５のＳ５０８による調整値情報の問合せを送信していた場合、ＣＰＵ２０１は調整値情報の問合せを受信したと判定する。調整値情報の問合せを受信したと判定した場合、ＣＰＵ２０１はＳ６０５で作成した給紙部情報を情報処理装置１０２に返信し、処理をＳ６０６に戻す。Ｓ６１４にて給紙部情報の問合せを受信していない場合も、ＣＰＵ２０１は処理をＳ６０６に戻す。以降、ＣＰＵ２０１は情報処理装置１０２から任意のモデル情報の問合せ要求を受け付けたタイミングでＳ６０６〜Ｓ６１５に記載の処理を実行する。なお、印刷装置１０３の電源がオフになるときに、ＣＰＵ２０１は図６に記載の処理を終了する。
【００４５】
なお、本実施例における給紙部は給紙デッキや、インサータや手差しトレイなど、その他の機構の給紙部であり、その形態を限定しない。
【００４６】
以上が、印刷装置の起動時、および、用紙管理アプリケーションに起動時に実行される処理である。
【００４７】
図７を用いて、本実施例におけるユースケースのワークフローを説明する。以降の説明では、ボタン押下時等のアプリケーションの操作時にポインティングデバイス１１５等を使用するといった説明は省略するが、このような入力デバイスを使用してボタン押下等の操作することはいうまでもない。まずユーザが用紙管理アプリケーションを起動させ、印刷装置１０３の電源をオンすると、初期化処理１００１が実行される。初期化処理１００１とは、図５、図６に記載の処理である。次に、ユーザはトップ画面４０１に表示された給紙部ボタンから用紙情報を設定する給紙部ボタンを選択し、用紙情報を設定するユーザ指示を実行する（１００２）。用紙情報を給紙部に対応づけて設定するユーザ指示とは、たとえば、設定されている用紙情報と異なる用紙情報を給紙部に対応づけて設定するユーザ指示である。ほかにも、用紙情報を給紙部に対応づけて設定するユーザ指示とは、用紙情報と対応づけられていない給紙部に対応する用紙情報を設定するユーザ指示や、設定されている用紙情報と同じ用紙情報を給紙部に対応づけて設定するユーザ指示を含む。ユーザがトップ画面４０１に表示された給紙部ボタン４０６を選択すると、図８に示す用紙設定画面は表示される。ここでは、ユーザが給紙部ボタン４０６を選択した場合を例に説明する。４０７〜４１３のいずれかを選択した場合に表示される用紙設定画面は、ユーザが４０６を選択したときに表示される用紙設定画面と同様の構成であるため、説明を省略する。本実施の形態では詳細に説明しないが、給紙部のほかにインサータや手差しトレイなどの給紙装置が選択されたときにも同様の画面が表示されることはいうまでもない。
【００４８】
図８は、給紙段１の用紙情報設定画面７００である。給紙段１の用紙情報設定画面は、ＣＰＵ３０１からの指示に従ってそのビデオメモリに描画すると共に、ビデオメモリに描画されたイメージデータをビデオ信号として表示装置１１３に出力され、表示される。領域７０１にはユーザが選択した給紙部の名称が表示される。
【００４９】
用紙情報設定画面７００には、７０２の用紙情報領域と、７０３の用紙リスト表示領域と、７０４の割当ボタン、７０５の用紙リスト更新ボタン、７０６の閉じるボタンが表示される。用紙情報領域７０２には選択されている用紙情報の詳細な設定値が表示される。用紙リスト表示領域７０３は、情報処理装置１０２の外部記憶装置３０９に記憶された用紙リストを表示する。ユーザが用紙リスト表示領域７０３から用紙情報を選択した場合、選択された用紙情報の詳細な設定値が用紙情報領域７０２に表示される。
【００５０】
まず、用紙情報領域７０２に表示される各入力項目について説明する。７０７は用紙の名称を入力することが可能なテキストフィールドである。名称を変更する場合、ユーザがテキストエリアにキーボード１１４等を使用して、文字を入力する。以降の説明では、入力時にキーボード１１４等を使用するといった説明は省略するが、このような入力デバイスを使用して文字を入力することはいうまでもない。変更した用紙情報を反映させるためには、「用紙リスト更新」ボタン７０５を選択する。「用紙リスト更新」ボタン７０５を押下することで、情報処理装置１０２記憶装置３０９、印刷装置１０３の外部記憶装置２１１に記憶された用紙情報を変更することが出来る。７０８は坪量を入力することが可能なテキストフィールドである。動作は、７０７の名称テキストエリアと同等なので、説明を省略する。７０９は用紙のサイズ情報を表示するコンボボックスである。リスト表示されたサイズ情報から所望のサイズを選択して、設定することが可能となる。変更した用紙情報に反映させる場合、ユーザは「用紙リスト更新」ボタン７０５を押下する。「用紙リスト更新」ボタン７０５を押下することで、情報処理装置１０２の外部記憶装置３０９、印刷装置１０３の外部記憶装置２１１に記憶される用紙情報が更新される。７１０は表面性情報を表示するコンボボックスである。動作は、７０９のサイズコンボボックスと同等なので、説明を省略する。７１１は特長情報を表示するコンボボックスである。特長情報とは、当該用紙がふつうの用紙であるのか、パンチ穴の開いた用紙であるのか等の情報である。動作は、７０９のサイズコンボボックスと同等なので、説明を省略する。７１２は色情報を表示するコンボボックスである。動作は、７０９のサイズコンボボックスと同等なので、説明を省略する。７１３は両面２面目情報を表示するコンボボックスである。動作は、７０９のサイズコンボボックスと同等なので、説明を省略する。７１４はスキ目情報を表示するコンボボックスである。動作は、７０９のサイズコンボボックスと同等なので、説明を省略する。７１５は印刷時の調整項目の調整値をまとめて表示する領域である。印刷時に使用する調整項目は多数存在する為、この画面中にすべて収めることが出来ない。現在表示されていない調整の設定項目を確認する場合は、７１６のスライダーバーを操作することで表示されていない調整項目の調整値を表示することが可能となる。「画像位置調整」ボタン７１７は画像位置調整の設定項目ボタンであり、このボタンに現在の用紙が既に調整済みかを表示する。既に調整済みの場合は、調整ありと表示し、調整していない場合は、調整なしと表示する。ユーザが「画像位置調整」ボタン７１７を押下することで、不図示の調整画面が表示装置１１３に表示される。ユーザは、不図示の調整画面で各種調整値を入力することが可能である。変更した情報を用紙情報に反映させるためには、７０５の用紙リスト更新ボタンを押下する。調整値を設定したのち、ユーザは「用紙リスト更新」ボタン７０５を押下することで、情報処理装置１０２、印刷装置１０３に記憶された用紙情報を更新することが出来る。「カール補正」ボタン７１８はカール補正の設定項目ボタンである。動作は、７１７の画像位置調整の設定項目ボタンと同等なので、説明を省略する。「サドル折位置調整」ボタン７１９はサドル折位置の調整の設定項目ボタンである。このボタンに現在の調整値をｍｍ単位で表示する。７１９はサドル折位置の調整の設定項目ボタンを押下することで、調整画面が開く。この調整画面で各種調整値を入力することが可能である。変更した情報を用紙情報に反映させるためには、ユーザが「用紙リスト更新」ボタン７０５を選択する。「用紙リスト更新」ボタン７０５を押下することで、情報処理装置１０２、印刷装置１０３の用紙情報が更新される。「クリープ補正量調整」ボタン７２０はクリープ補正量の調整の設定項目ボタンである。動作は、７１９のサドル折位置の調整の設定項目ボタンと同等なので、説明を省略する。「中とじ折位置調整」ボタン７２１は中とじ折位置の調整の設定項目ボタンである。動作は、７１９のサドル折位置の調整の設定項目ボタンと同等なので、説明を省略する。「中とじ位置調整」ボタン７２２は中とじ位置調整の設定項目ボタンである。動作は、７１９のサドル折位置の調整の設定項目ボタンと同等なので、説明を省略する。「二次転写電圧調整」ボタン７２３は二次転写電圧の調整の設定項目ボタンである。動作は、７１７の画像位置調整の設定項目ボタンと同等なので、説明を省略する。７２４は先端部二次転写電圧の調整の設定項目ボタンである。動作は、７１７の画像位置調整の設定項目ボタンと同等なので、説明を省略する。「二次転写除電バイアス調整」ボタン７２５は二次転写除電バイアスの調整の設定項目ボタンである。動作は、７１７の画像位置調整の設定項目ボタンと同等なので、説明を省略する。「一時転写電圧調整」ボタン７２６は一次転写電圧の調整の設定項目ボタンである。動作は、７１７の画像位置調整の設定項目ボタンと同等なので、説明を省略する。
【００５１】
次に、用紙リスト表示領域７０３について説明する。テーブル７２７は用紙リストを表示する表である。１列ごとに各用紙情報が表示される。ユーザが７２８のスライダーバーを操作すると、表示されていない設定項目の設定値が表示される。また、ユーザが７２９のスライダーバーを操作すると、表示されていない用紙情報がテーブル７２７に表示される。７３０は用紙情報領域７０２に表示されている用紙情報であり、選択されていることが分かるように反転表示されている。７３１〜７３３は用紙情報領域７０２に表示されていない用紙である。７２７の用紙リストの表より、選択されていない用紙である７３１〜７３３のいずれかを選択すると、用紙情報領域７０２に選択中の用紙の情報が表示される。この状態で、７０４の割当ボタンを押下することで、給紙部１に新たに選択した用紙情報を割り当てることが可能となる。何も変更せずに終了する場合は、７０５の閉じるボタンを押下する。
【００５２】
本実施例では、ユーザが給紙部ボタンを選択し、図８の画面において、「割り当て」ボタン７０４が選択されたことに従って、給紙部に用紙情報が割り当てられるとして説明した。給紙部に用紙情報を割り当てる方法は上記の方法に限らない。たとえば、トップ画面４０１において、ユーザが用紙リストから給紙部に割り当てる用紙の種類にカーソルを合わせてマウスをクリックし、そのまま割り当てる給紙部までドラッグし、割り当てたい給紙部上にカーソルが来たところでドロップする。このようにすることで情報処理装置１０２が当該給紙部に選択した用紙情報を割り当てるとしてもよい。
【００５３】
ユーザが給紙部に用紙情報を割り当てると、用紙管理アプリケーションは選択された給紙部ボタン４０６と選択された用紙情報を対応づけて登録する（１００３）。そして、用紙管理アプリケーションは、印刷装置１０３に接続された給紙部１１６−１に選択された用紙情報を割り当てて登録する指示を送信する（１００４）。印刷装置１０３は用紙管理アプリケーションからの指示を受付けて、給紙部１１６−１と用紙情報を対応づけて登録する（１００５）。印刷装置１０３は、給紙部１１６−１への用紙情報の登録が完了したのち、給紙部１１６−１への用紙情報の登録が完了した旨を用紙管理アプリケーションに通知する（１００６）。用紙管理アプリケーションは、印刷装置１０３から給紙部１１６−１に用紙情報を登録した旨の通知を受け付けて、給紙部ボタン４０６を強調表示した画面を表示装置１１３に表示する（１００７）。給紙部ボタン４０６が強調表示した画面の一例を図９（ａ）に示す。図９（ａ）では、給紙部ボタン４０６が他の給紙部ボタンと異なる色で表示される。このように、用紙情報が設定された給紙部ボタンを他の給紙部ボタンと異なる表示形態で表示することで、ユーザは用紙情報が割り当てられた給紙部が給紙部ボタン４０６に対応する給紙部であることをすぐに知ることができる。また、領域８０１にはユーザにより設定された給紙部ボタン４０６に設定された用紙情報が表示される。このように、給紙部に割り当てられた用紙情報を給紙部ボタンとは別で表示することで、ユーザはどの用紙情報の用紙を給紙すればよいかをすぐに確認することができる。
【００５４】
ここでは、給紙部ボタン４０６のみが強調表示されているが、ユーザが連続して複数の給紙部に用紙情報を登録した場合、用紙情報が登録された全ての給紙部ボタンが強調表示される。たとえば、給紙部１１６−１と給紙部１１６−２に用紙情報を登録した場合、図９（ｂ）に示すように給紙部ボタン４０６と給紙部ボタン４０７が強調表示される。
【００５５】
ユーザは、用紙情報の割り当てを完了した後、実際に用紙を補給するために印刷装置１０３の給紙部１１６−１を引き出す（１００９）。給紙部はユーザが手で引き出してもよく、ユーザが給紙部に設けられたボタンを押下することで、給紙部が引き出されるとしてもよい。給紙部が引き出されたことは給紙部に設けられた不図示のセンサにより検知される。給紙部１１６−１が引き出されると、印刷装置１０３は用紙管理アプリケーションに給紙部１１６−１が引き出されたことを通知する（１０１０）。用紙管理アプリケーションは給紙部ボタン４０６の表示を、オープン状態を示す表示に切り替える（１０１１）。用紙管理アプリケーションは、例えば、給紙部オープンアイコン４１９を表示して給紙部が引き出されていることを示す表示を行う。上記のように、引き出された給紙部の給紙部ボタンに給紙部オープンアイコン４１９を表示することで、当該給紙部を他の給紙部と区別して表示することができる。ユーザは給紙部１１６−１を引き出したのち、給紙部１１６−１に用紙を補給する（１０１２）。
【００５６】
そして、ユーザが給紙部１１６−１を閉じる（１０１３）。ユーザが給紙部１１６−１を押し込むことにより給紙部を閉じるとしてもよいし、ユーザが給紙部１１６−１に設けられたボタンを押下すると給紙部１１６−１が自動で閉まるとしてもよい。給紙部が引き出された状態から閉じられた状態に移行したことは、給紙部に設けられた物理的なセンサで検知される。給紙部１１６−１が最後まで押し込まれると、印刷装置１０３は給紙部１１６−１が閉じられたことを検知する（１０１４）。そして、印刷装置１０３は用紙管理アプリケーションに給紙部１１６−１が閉じられたことを通知する（１０１５）。用紙管理アプリケーションは、印刷装置１０３から給紙部１１６−１が閉じられたことの通知を受け付けて、給紙部ボタン４０６の表示を、クローズ状態を示す表示に切り替える（１０１６）。用紙管理アプリケーションは、たとえば、給紙部オープンアイコン４１９の表示を終了する。その後、用紙管理アプリケーションは、給紙部ボタン４０６の強調表示を終了する（１０１７）。給紙部が閉じられたことに従って、閉じられた給紙部に対応する給紙部ボタンの強調表示を終了する。これにより、いずれの給紙部への用紙の補給が完了したかをユーザが知ることができる。また、図９（ｂ）のように２以上の給紙部に用紙情報が割り当てられた場合、用紙の割り当て後にユーザが用紙の補給を完了した給紙部のみ強調表示を終了する。このようにすることで、用紙情報を割り当てた給紙部のうち、いずれの給紙部に対する用紙の補給が完了しており、いずれの給紙部に対する用紙の補給が完了していないかをユーザがすぐに確認できるようになる。
【００５７】
図７に示すワークフローでは、給紙部に用紙情報が設定された後、すぐに給紙部ボタン４０６が強調表示されるとして説明した。給紙部に用紙情報が設定された際に、領域８０１に用紙情報を表示し、ポインティングデバイス１１５を介して領域８０１が押下されたことに従って給紙部ボタン４０６が強調表示されるとしてもよい。
【００５８】
また、本実施形態では、複数の給紙部に用紙情報が設定された場合、用紙情報が設定された全ての給紙部に対応する給紙部ボタンを強調表示する。複数の給紙部に連続して用紙情報が設定された場合、用紙情報が設定された順で給紙部ボタンを強調表示するとしてもよい。たとえば、給紙段１、給紙段２の順で用紙情報が設定された場合、用紙管理アプリケーションは給紙部ボタン４０６を強調表示し、給紙部ボタン４０７を強調表示しない。その後、ユーザが給紙部ボタン４０６に対応する給紙部に用紙を補給し、給紙部を閉じたことに従って、用紙管理アプリケーションは給紙部ボタン４０６の強調表示を終了し、給紙部ボタン４０７を強調表示する。この場合、用紙管理アプリケーションは初めに領域８０１に給紙段１に対して設定された用紙情報を表示する。その後、給紙段１の開閉を検知して、用紙管理アプリケーションは、領域８０１に給紙段２に対応づけて設定された用紙情報を表示する。
【００５９】
なお、本実施形態では、情報処理装置１０２に接続された表示装置に表示される用紙管理アプリケーション画面をユーザが操作する場合を例に説明した。ユーザが印刷装置１０３の操作部１０５で給紙段に用紙情報を割り当てる設定を行うとしてもよい。また、図８の画面ではない他の手段で給紙デッキに用紙情報が設定されても良く、その形態を限定しない。
【００６０】
以下、図１０に記載のフローチャートを用いて本実施例の特徴となる処理について説明する。なお、本フローに係る画像形成システムのプログラムは、情報処理装置１０２のプログラムは、情報処理装置１０２のＨＤＤ３０９に格納されており、ＲＡＭ３０２に読み出され、ＣＰＵ３０１によって実行される。図１０に記載の処理は、ユーザが用紙管理アプリケーションを用いて、各給紙部に対して給紙部に補給する用紙の用紙情報を登録する場合に実行される。即ち、用紙管理アプリケーションは、例えば起動処理が終了したした後、ユーザが給紙部に対する用紙情報の割り当て操作を実行するまで待機する。
【００６１】
給紙部管理ユニット３５４が給紙部の用紙情報が変更されたか否かを判定する（Ｓ９０１）。給紙部管理ユニット３５４がある給紙部に対応する用紙情報が変更されたことを検知すると、ＵＩ制御ユニット３５２は用紙情報が設定された給紙デッキを強調表示した画面を表示装置１１３に表示する（Ｓ９０２）。この時、図９（ａ）にて説明したように、設定された用紙情報を用紙情報リストや給紙部ボタンと異なる箇所に表示するとしてもよい。そして、ユーザが表示された用紙情報を選択すると、選択された用紙情報に対応づけられた給紙部が強調表示されるとしてもよい。
【００６２】
Ｓ９０１において、用紙情報が設定されたことを検知していない場合、給紙部管理ユニット３５４は、Ｓ９０１に記載の処理を継続して行う。
【００６３】
給紙部管理ユニット３５４は用紙情報が設定され、強調表示された給紙部が引き出された通知を受け付けたか否かを判定する（Ｓ９０３）。給紙部管理ユニット３５４は、用紙情報の設定された給紙部が引き出された通知を受け付けたことに従って、Ｓ９０４に記載の処理に処理を進める。一方で、用紙情報が設定された給紙部が引き出されるまで、給紙部管理ユニット３５４は、Ｓ９０３に記載の処理を継続して実行する。
【００６４】
用紙情報を設定した給紙部が引き出された通知を受け付けて、ＵＩ制御ユニット３５２は給紙部ボタンの表示を給紙部が引き出された状態を示す表示に更新する（Ｓ９０４）。
【００６５】
給紙部管理ユニット３５４は、印刷装置１０３から給紙部が閉じられた通知を受けたか否かを判定する（Ｓ９０５）。給紙部が閉じられたことを示す通知を受けた場合、給紙部管理ユニット３５４は、Ｓ９０６に処理を進める。給紙部が閉じられたことを示す通知を受けていない場合、給紙部管理ユニット３５４は、Ｓ９０５に記載の処理を継続して行う。
【００６６】
次に、ＵＩ制御ユニット３５２は、閉じられた給紙部に対応する給紙部ボタンの強調表示を完了する（Ｓ９０６）。
【００６７】
そして、給紙部管理ユニット３５４は他にも用紙情報が設定された後で、開閉されていない給紙部があるか否かを判定する（Ｓ９０７）。他にも用紙情報が設定された後、開閉されていない給紙部があった場合、給紙部管理ユニット３５４はＳ９０２に処理を戻し、以降上述の説明と同様の処理を行う。用紙情報が設定された給紙部が全て開閉されている場合、給紙部管理ユニット３５４は本フローを終了する。この時、ＵＩ制御ユニット３５２が表示装置１１３に、「すべての給紙部への給紙が終了しました」などのダイアログを表示してもよい。
【００６８】
本実施例において、図１０の処理は情報処理装置１０２が実行するとした。印刷装置１０３が用紙管理アプリケーションを有し、印刷装置１０３が図１０に記載の処理を実行するとしてもよい。この時、図４、図８、図９に記載の用紙管理アプリケーションの画面は印刷装置１０３に備えられた操作パネル２１５に表示される。
【００６９】
なお、情報処理装置１０２は用紙情報を設定したときに、強調表示を行わないよう設定することができてもよい。ユーザが用紙管理アプリケーションを用いて用紙情報の設定を行う前に、給紙部に用紙を補給する場合、用紙情報を設定したときの強調表示をオフに設定することで、すでに用紙が給紙されている給紙部が強調表示されるのを防ぐことができる。また、印刷装置１０３がそれほど沢山の給紙デッキを備えておらず、用紙情報を設定したときの強調表示が不要な場合は、ユーザが用紙情報を設定した給紙部がわからなくなってしまう可能性が低いため、給紙部の強調表示をオフに設定する。このようにすることで、ユーザが給紙部の強調表示を不要とするタイミングで給紙部が強調表示されてしまうことを防ぐことができる。また、給紙部ごとに用紙情報の設定時に強調表示するか否かを切り替えることができてもよい。長尺専用の給紙部に対して用紙情報を設定する場合など用紙情報を設定した給紙部がわからなくなってしまう可能性が低い場合に、強調表示をオフにする。ユーザが給紙部の強調表示を不要とする給紙部に対して強調表示してしまうことを防ぐことができる。
【００７０】
以上の手順により、本実施例によると、用紙管理アプリケーションにおいて、用紙情報を設定した当該給紙部に用紙が補給されるまで、当該給紙部を強調表示することができる。このようにすることで給紙部に用紙が補給されるまで、ユーザがどの給紙部に対して用紙情報を割り当てたかをすぐに確認することができる。
【００７１】
（その他の実施例）
本発明は、印刷装置１０３の操作部１０５に備えられたディスプレイ上で、用紙情報を設定した後に開閉されていない給紙デッキが強調表示される形態であっても良い。
【００７２】
本発明は、以下の処理を実行することによっても実現される。即ち、上述した実施例の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのコンピュータプログラム、及び該コンピュータプログラムを記憶した記憶媒体は本発明を構成することになる。
【図１】
2019133452.tif 000003
【図２】
2019133452.tif 000004
【図３】
2019133452.tif 000005
【図４】
2019133452.tif 000006
【図５】
2019133452.tif 000007
【図６】
2019133452.tif 000008
【図７】
2019133452.tif 000009
【図８】
2019133452.tif 000010
【図９】
2019133452.tif 000011
【図１０】
2019133452.tif 000012